(57)【要約】【課題】  バーナー用の円形開口部が定型化されたものと、スリットを入れたコンロカバーは、左右のバーナー用の円形開口部に嵌着しない問題点と欠点があった。多機種のバーナー円形開口部に対応敷設でき、薄く軽くて折り畳んだり、ロール状に巻いたりでき、取り扱いも簡単で天板とバーナーにゴトクも保護し、調理の際、飛び散る油汚れを吸収し、安価にして使い捨ての敷設吸油紙を提供する。【解決手段】ガスレンジの天板にバーナーを顕出させ敷設する吸油紙であって、原紙は難燃紙又は不燃紙からなる長方形であり、前記吸油紙の縦横端には切除可能な夫々に複数の点削部を設けるとともに左側に左バーナー用の円形開口点削部を設け、右側には右バーナー用の円形開口部として複数の点削部を一定間隔で形成した。【選択図】図１
2007278547.tif 000002
【特許請求の範囲】
【請求項１】
ガスレンジの天板にバーナーを顕出させ敷設する吸油紙であって、原紙は難燃紙又は不燃紙からなる長方形であり、前記吸油紙の縦横端には切除可能な夫々に複数の点削部を設けるとともに、左側に左バーナー用の円形開口点削部を設け、右側には右バーナー用の円形開口部として複数の点削部が一定の間隔をもって形成されたことを特徴とするガスレンジ敷設吸油紙。
【発明の詳細な説明】
【技術分野】
【０００１】
本発明は、ガスレンジ天板に敷設する吸油紙に関し、より詳しくは、加工した吸油紙をガスレンジ天板に敷設、覆う事により、煮物、焼き物、揚げ物の料理をした際に飛散する油等を吸いガスレンジ天板と付属部品を保護、敷設する吸油紙に関する。
【背景技術】
【０００２】
従来のガスレンジ天板のコンロカバーに関しては、バーナー位置を抜き取りにより開口した形状のものが使用されているものはあった（特許文献１参照）。
【０００３】
又、開口部周縁に間隔をおいてスリットを用いて開口した形状のものもあった（特許文献２参照）。
【特許文献１】実開平７−４３５１２号公報
【特許文献２】特開平９−１３３３６８号公報
【発明の開示】
【発明が解決しようとする課題】
【０００４】
上記の特許文献１に記載のコンロカバーはバーナー円形開口寸法が一定のものには効能はあるが、多機種あるガスレンジ天板のバーナーとバーナー間の異なる円形開口寸法の時には嵌着しない問題があり、特許文献２に記載のコンロカバーに於いてもスリットがあるが、多機種あるガスレンジ天板のバーナーとバーナー間の異なる円形開口部の寸法に嵌着しない欠点があり、多種類のコンロカバーを揃える必要がある問題点と欠点があった。
尚、従来のガスコンロシートでは、天板で使用していないバーナーに付する付属部品等は保護されておらず、調理する際、特に揚げ物をする場合には油汚れが特に酷いため、ガスレンジ天板とバーナーキャップにゴトクの汚れを放置せざるを得なかった。
【０００５】
本発明は、上記のような従来の問題点や欠点を改善して、形状の異なる天板に設置されているバーナーの円形開口部に複数の点削部を設け、多機種のガスレンジバーナーの円形開口寸法に嵌着出来るようにした。
吸油紙は軽量で折りたたみとロール状にすることも出来、持ち運びも容易で取り扱いも簡易で天板とバーナーキャップにゴトクも保護し、使い捨てのガスレンジ敷設吸油紙を提供することを目的とするものである。
【課題を解決するための手段】
【０００６】
ガスレンジ天板にバーナーを顕出させ敷設する吸油紙であって、原紙は難燃紙又は不燃紙からなる長方形であり、前記吸油紙の縦横端には切除可能な夫々に複数の点削部を設けるとともに左側に左バーナー用の円形開口点削部を設け、右側には右バーナー用の円形開口部として複数の点削部が一定の間隔をもって形成したガスレンジ敷設吸油紙を提供する。
【０００７】
敷設吸油紙の原紙として用いる難燃紙又は不燃紙は、吸収性を有する紙に水酸化アルミニウム溶液、又は水酸化カルシウム溶液を塗布、あるいは浸漬し、この厚みは１０ミクロン〜６０ミクロンの範囲を用いると良く、嵩張らず、値が張らず取り扱い易いものである。
【０００８】
又、敷設吸油紙の縦横端に切除可能な点削部が設けられるとともに右バーナー用の円形開口部は一定の間隔で複数のバーナー用の円形開口部を形成するのは、市販されているガスレンジにはいろいろの寸法があり、天板の長さは最小型では縦４７０ｍｍ、横６２０ｍｍであり、最大型は縦５１０ｍｍ、横７００ｍｍと範囲があり、又、バーナーの大きさはほぼ同じで左右のバーナー円形開口部の直径は１２０ｍｍであり、右バーナーの位置は左バーナー円形開口部の中心点の平行線上の右側の３００ｍｍ〜４２０ｍｍの範囲に設けられているからである。
【発明の効果】
【０００９】
本発明のガスレンジ敷設吸油紙には、多機種の天板の左バーナー用の円形開口部と右バーナー用の円形開口部間の夫々の寸法が違う円形開口部に嵌着出来るように、右バーナー用の円形開口部にあらかじめ複数の点削部が設けられていることにより、右バーナー用の円形開口部に合致する点削部を必要に応じ切除し、ガスレンジ天板に敷設すると、全体に被覆することができ、又、揚げ物等をする場合には、左右のバーナー用の円形開口点削部の片方のみを残して吸油紙を敷設することにより、ガスレンジ天板を保護するだけでなくバーナーキャップやゴトク、汁受け皿も汚さずに保護することができる。
【００１０】
そして、本発明のガスレンジ敷設吸油紙の原紙としての難燃紙又は不燃紙を用いるのは、ガスレンジ天板に被覆させ調理の際に発生する熱によって燃え上がることを防止する効果がある。
【００１１】
又、本発明のガスレンジ敷設吸油紙は、厚さも薄手で簡単な処理により燃えにくくしているので調理の際の油や汚れの飛散度合いによって交換する使い捨てで手間も要らず、安価で経済性も優れた効果を奏するものである。
尚、型抜きしたバーナー用の開口部には、市販されているアルミの型押しされたガスマットを併用すると最高の効果を齎すものである。
【発明を実施するための最良の形態】
【００１２】
以下、本発明の実施形態を実施例となる図面を参照にして説明する。
図１は、本発明のガスレンジ敷設吸油紙の実施例となる平面図である。図２は本発明の敷設吸油紙を使用可能なガスレンジの平面図を示している。
【００１３】
図２の図面は、本発明の実施例に用いたガスレンジ最小型の天板の形状と寸法であり、長方形で縦４７０ｍｍ、横６２０ｍｍで左右のバーナー円形開口部１１，１２を有し、左バーナー円形開口部１１は天板端より１３０ｍｍの点と天板前端より２４０ｍｍの点が交差する中心点に直径１２０ｍｍの開口部１１設けられ、右バーナー円形開口部１２は、左バーナー中心点の平行線上の右側３００ｍｍの点が中心点で直径１２０ｍｍの開口部１２が設けられている。
尚、１３は、左バーナー中心点を示し、１４は、右バーナー中心点を示している。
【００１４】
図１に示した、本発明の敷設吸油紙１の原紙は、難燃紙又は不燃紙で吸収性を有するもので薄手の２０ミクロンの安価な紙に、水酸化アルミニウム溶液を塗布して形成した。
【００１５】
本発明の敷設吸油紙１の大きさと形は、長方形で最大幅７００ｍｍ、奥行５１０ｍｍを設け、第１番目の縦線点削部６は敷設吸油紙１右端より４０ｍｍ、続いて第２番目の縦線点削部７も内側へ４０ｍｍの所に設けると良く、第１番目の横線点削部８は敷設吸油紙１の上端より２０ｍｍ、続いて第２番目の横線点削部９も内側へ２０ｍｍの所に設けることで最大型のガスレンジにも対応出来るようにした。
【００１６】
円形開口部の大きさは、直径１３０ｍｍを設けた。尚、バーナー用の円形開口部を創るには、中心点を設け、敷設吸油紙１の左端より１３０ｍｍの点と前端より２４０ｍｍの点が交差した所に左バーナー用の円形開口点削部２の左中心点４を設け、右バーナー用の円形開口点削部３の右中心点５−１は左中心点４のから敷設吸油紙１の前端と平行に右側３００ｍｍの点に設けた。
【００１７】
又、右中心点５−１は、右バーナー用の円形開口部１２用の点削部３の中心部点であり、参照図面のガスレンジの円形開口部に嵌着する中心点である。右バーナー用の円形開口点削部３とその右中心点（５−1、５−２，５−３，５−４，５−５）に符号打ちをし、夫々の中心点の間隔を中心点５−１点より３０ｍｍ間隔で右側へ移動させて５つの円形開口点削部３を設けた。これにより最小型から最大型のレンジのバーナー位置に全て対応出来るようにした。
【図面の簡単な説明】
【００１８】
【図１】本発明の実施例となるガスレンジ天板に敷設する敷設吸油紙の平面図。
【図２】本発明の実施例となる敷設吸油紙が使用可能なガスレンジの平面図を示している。
【符号の説明】
【００１９】
１      敷設吸油紙
２      左バーナー用の開口点削部
３      右バーナー用の開口点削部
４      左中心点
５−１  第1番目の右中心点
５−２  第２番目の右中心点
５−３  第３番目の右中心点
５−４  第４番目の右中心点
５−５  第５番目の右中心点
６      第1番目の縦線点削部
７      第２番目の縦線点削部
８      第１番目の横線点削部
９      第２番目の横線点削部
１０    天板
１１    左バーナー用の開口部
１２    右バーナー用の開口部
１３    左バーナー中心
１４    右バーナー中心
【図１】
2007278547.tif 000003
【図２】
2007278547.tif 000004